(57)【要約】      （修正有）【課題】収納物の損傷と異音の発生を解消することができる収納ケースを提供する。【解決手段】収納ケースは、ケース本体４の内部に装備され、収納された収納物を挿入口側に排出する力を当該収納物に対して付勢する排出力付勢手段と、を備える。そして、上記排出力付勢手段は、所定の長さを有するバネ部材の一端側が巻回された状態の巻回部と、バネ部材の開放された他端側がケース本体の内部に固定された固定部５と、を有し、巻回部の外周を覆い当該巻回部を筒内に収容する筒状部材を備え、当該筒状部材に、筒内から外部に向かってバネ部材の開放された他端をケース本体の内部に固定するために引き出し可能な引き出し開口部を形成し、筒状部材はケース本体の内部に挿入された収納物と接触した状態でケース本体の内部で移動する。【選択図】図４
2014006947.tif 000002
【特許請求の範囲】
【請求項１】
挿入口から挿入された収納物を内部に収納するケース本体と、
前記ケース本体の内部に装備され、収納された前記収納物を挿入口側に排出する力を当該収納物に対して付勢する排出力付勢手段と、を備え、
前記排出力付勢手段は、所定の長さを有するバネ部材の一端側が巻回された状態の巻回部と、前記バネ部材の開放された他端側が前記ケース本体の内部に固定された固定部と、を有すると共に、前記巻回部の外周を覆い当該巻回部を筒内に収容する筒状部材を備え、当該筒状部材に、筒内から外部に向かって前記バネ部材の開放された他端を前記ケース本体の内部に固定するために引き出し可能な引き出し開口部を形成し、
前記筒状部材は前記ケース本体の内部に挿入された前記収納物と接触した状態で、前記筒状部材が前記収納物に押されることにより前記ケース本体の内部側に移動したときに前記筒状部材に収容された前記巻回部で巻回された状態の前記バネ部材が引き延ばされ、当該バネ部材の引き延ばされた状態から巻回された状態への復元力により前記筒状部材が前記ケース本体の挿入口側に移動したときに前記収納物を前記ケース本体の挿入口側に押すよう構成されている、
収納ケース。
【請求項２】
請求項１に記載の収納ケースであって、
前記筒状部材は、前記収納物に対して相対的に回転することなく、前記ケース本体の内部に挿入された前記収納物と接触した状態で前記ケース本体の内部で移動するよう構成されている、
収納ケース。
【請求項３】
請求項１又は２に記載の収納ケースであって、
前記排出力付勢手段を構成する前記バネ部材は、所定の長さを有する薄板形状にて形成されており、
前記排出力付勢手段に設けられた前記引き出し開口部は、前記バネ部材の板厚よりも広い溝幅を有するスリット形状に形成されている、
収納ケース。
【請求項４】
請求項１乃至３のいずれかに記載の収納ケースであって、
前記筒状部材は、前記バネ部材を筒内に挿抜可能なよう少なくとも一端側が開口して形成されており、当該開口側の周囲に、前記バネ部材が筒内から外部に移動することを係止するよう筒内側に突出する突起部を設けた、
収納ケース。
【請求項５】
請求項１乃至４のいずれかに記載の収納ケースであって、
前記筒状部材は、樹脂にて形成されている、
収納ケース。
【請求項６】
請求項１乃至５のいずれかに記載の収納ケースであって、
前記ケース本体の挿入口に、前記ケース本体の内部に収納された前記収納物の排出を係止する状態と、当該収納物の排出を許容する状態と、に設定可能なよう可動する係止手段を備えた、
収納ケース。
【請求項７】
請求項１乃至６のいずれかに記載の収納ケースであって、
前記ケース本体は、データを記憶再生可能な記憶媒体を装備したカートリッジを前記収納物として収納する、
収納ケース。
【請求項８】
挿入口から挿入された収納物を内部に収納するケース本体と、
前記ケース本体の内部に装備され、収納された前記収納物を挿入口側に排出する力を当該収納物に対して付勢する排出力付勢手段と、を備えた収納ケースによる収納方法であって、
前記排出力付勢手段は、所定の長さを有するバネ部材の一端側が巻回された状態の巻回部と、前記バネ部材の開放された他端側が前記ケース本体の内部に固定された固定部と、を有すると共に、前記巻回部の外周を覆い当該巻回部を筒内に収容する筒状部材を備え、当該筒状部材に、筒内から外部に向かって前記バネ部材の開放された他端を前記ケース本体の内部に固定するために引き出し可能な引き出し開口部を形成して構成されており、
前記筒状部材は前記ケース本体の内部に挿入された前記収納物と接触した状態で、前記筒状部材が前記収納物に押されることにより前記ケース本体の内部側に移動したときに前記筒状部材に収容された前記巻回部で巻回された状態の前記バネ部材が引き延ばされ、当該バネ部材の引き延ばされた状態から巻回された状態への復元力により前記筒状部材が前記ケース本体の挿入口側に移動したときに前記収納物を前記ケース本体の挿入口側に押すよう可動する、
収納方法。
【請求項９】
請求項８に記載の収納方法であって、
前記筒状部材は、前記収納物に対して相対的に回転することなく、前記ケース本体の内部に挿入された前記収納物と接触した状態で前記ケース本体の内部で移動する、
収納方法。
【発明の詳細な説明】
【技術分野】
【０００１】
本発明は、収納ケースにかかり、特に、収納物を排出する機能を有する収納ケースに関する。
【背景技術】
【０００２】
ストレージ装置にてデータを記憶する媒体として、磁気テープ、光ディスク、光磁気ディスク、磁気ディスクなどがあり、これら記憶媒体は、ストレージ装置に着脱可能なようカートリッジを構成する。そして、未使用あるいは記録済みのカートリッジは、数本から数十本まで収容巻数を有するライブラリに収容されて保持される。
【０００３】
カートリッジ収納巻数が数本から数十本までの小型の磁気テープライブラリは、汎用１９インチラックに搭載され使用される。磁気テープライブラリの装置寸法は、この汎用１９インチラックサイズにより制限される。このため、磁気テープライブラリとして収納可能なカートリッジ本数の増加、つまり、収納効率の向上が要求される。
【０００４】
通常、複数のカートリッジを収容する「マガジン」は、カートリッジを収容するための「セル」によって構成される。そして、「セル」は、１つあたりのカートリッジ収納巻数は１本であることが一般的であるが、収納効率をあげるための手段として、特許文献１に示すように、定荷重バネを用いたディープセル方式が考案されている。具体的に、ディープセル方式は、一定の曲率で密着巻きした薄板にて形成される定荷重バネの開放端をセル内に固定することで構成される。そして、カートリッジがセル内に挿入されると、当該カートリッジに押されて定荷重バネが伸び、バネ自体がセル内部に移動し、当該定荷重バネが引き延ばされることで生じる戻り力によって、カートリッジをセル内から押し出すよう作用する。
【先行技術文献】
【特許文献】
【０００５】
【特許文献１】国際公開第２００９／０４１３７４号
【発明の概要】
【発明が解決しようとする課題】
【０００６】
しかしながら、上述した特許文献１に開示の収納ケースでは、セルに対するカートリッジの挿入時や排出時に、定荷重バネの金属部分がむき出しになった状態で巻きついているため、カートリッジに凹凸があると、当該カートリッジに定荷重バネの金属部分が接触したまま回転する可能性があり、カートリッジが損傷する、という問題が生じうる。また、定荷重バネとカートリッジとの接触箇所から異音が発生する、という問題も生じる。そして、かかる問題は、磁気テープなどのデータ記憶媒体のカートリッジを収納する収納ケースに限らず、あらゆる収納物を収納する収納ケースにも生じうる。
【０００７】
このため、本発明の目的は、上述した課題である、収納物が損傷することと、異音が生じることを解決することができる収納ケースを提供することにある。
【課題を解決するための手段】
【０００８】
本発明の一形態である収納ケースは、
挿入口から挿入された収納物を内部に収納するケース本体と、
前記ケース本体の内部に装備され、収納された前記収納物を挿入口側に排出する力を当該収納物に対して付勢する排出力付勢手段と、を備え、
前記排出力付勢手段は、所定の長さを有するバネ部材の一端側が巻回された状態の巻回部と、前記バネ部材の開放された他端側が前記ケース本体の内部に固定された固定部と、を有すると共に、前記巻回部の外周を覆い当該巻回部を筒内に収容する筒状部材を備え、当該筒状部材に、筒内から外部に向かって前記バネ部材の開放された他端を前記ケース本体の内部に固定するために引き出し可能な引き出し開口部を形成し、
前記筒状部材は前記ケース本体の内部に挿入された前記収納物と接触した状態で、前記筒状部材が前記収納物に押されることにより前記ケース本体の内部側に移動したときに前記筒状部材に収容された前記巻回部で巻回された状態の前記バネ部材が引き延ばされ、当該バネ部材の引き延ばされた状態から巻回された状態への復元力により前記筒状部材が前記ケース本体の挿入口側に移動したときに前記収納物を前記ケース本体の挿入口側に押すよう構成されている、
という構成をとる。
【０００９】
また、本発明の他の形態である収納方法は、
挿入口から挿入された収納物を内部に収納するケース本体と、
前記ケース本体の内部に装備され、収納された前記収納物を挿入口側に排出する力を当該収納物に対して付勢する排出力付勢手段と、を備えた収納ケースによる収納方法であって、
前記排出力付勢手段は、所定の長さを有するバネ部材の一端側が巻回された状態の巻回部と、前記バネ部材の開放された他端側が前記ケース本体の内部に固定された固定部と、を有すると共に、前記巻回部の外周を覆い当該巻回部を筒内に収容する筒状部材を備え、当該筒状部材に、筒内から外部に向かって前記バネ部材の開放された他端を前記ケース本体の内部に固定するために引き出し可能な引き出し開口部を形成して構成されており、
前記筒状部材は前記ケース本体の内部に挿入された前記収納物と接触した状態で、前記筒状部材が前記収納物に押されることにより前記ケース本体の内部側に移動したときに前記筒状部材に収容された前記巻回部で巻回された状態の前記バネ部材が引き延ばされ、当該バネ部材の引き延ばされた状態から巻回された状態への復元力により前記筒状部材が前記ケース本体の挿入口側に移動したときに前記収納物を前記ケース本体の挿入口側に押すよう可動する、
という構成をとる。
【発明の効果】
【００１０】
本発明は、以上のように構成されることにより、収納物が損傷することと異音が生じることを抑制することができる収納ケースを提供することができる。
【図面の簡単な説明】
【００１１】
【図１】本発明の実施形態１における収納ケースを構成する定荷重バネの構成を示す図である。
【図２】本発明の実施形態１における収納ケースを構成するバネケースの構成を示す図である。
【図３】本発明の実施形態１における収納ケースにて、図２に開示したバネケースに、図１に開示した定荷重バネを収容したときの構成を示す図である。
【図４】本発明の実施形態１における収納ケースの構成を示す図である。
【図５ａ】本発明の実施形態１における収納ケースに、１つの収納物を収納したときの様子を示す図である。
【図５ｂ】本発明の実施形態１における収納ケースに、２つの収納物を収納したときの様子を示す図である。
【図６】本発明の実施形態２における磁気テープライブラリの構成を示す図である。
【図７】本発明の実施形態２における磁気テープライブラリに搭載されるマガジンを示す図である。
【図８】本発明の実施形態２における磁気テープライブラリに搭載されるマガジンの上面カバーを外した状態を示す図である。
【発明を実施するための形態】
【００１２】
＜実施形態１＞
本発明の第１の実施形態を、図１乃至図５ｂを参照して説明する。図１乃至図４は、本実施形態における収納ケースの構成を説明するための図であり、図５ａ，５ｂは、収納ケースの動作を説明するための図である。
【００１３】
［構成］
まず、本実施形態で説明する収納ケースは、磁気テープカートリッジといった箱型の収納物を収納するものである。但し、収納ケースは、いかなる収納物を収納してもよく、また、収納する収納物の形状は箱型であることに限定されない。
【００１４】
本実施形態における収納ケースの外観を、図４（ａ），（ｂ）に示す。なお、図４（ａ）と図４（ｂ）とは、それぞれ収納ケースを異なる方向から見た斜視図であり、後述するように、説明の都合上、一部の構成を省略して図示している。
【００１５】
図４（ａ），（ｂ）に示すように、本実施形態における収納ケースは、収納物７を収納するための略直方体形状である箱状のケース本体４を備えている。ここで、図４（ａ），（ｂ）に示すケース本体４は、上面が開口して図示されているが、かかる上面は通常は塞がれている。従って、ケース本体４は、長手方向における一端側の側面のみが開口された形状に形成されており、かかる開口された側面が収納物７の挿入口となる。つまり、収納ケースに収納物７を収納する際には、挿入口から収納物７が挿入され、また、後述するように、かかる挿入口から収納物７が排出されることとなる。
【００１６】
また、収納ケースは、ケース本体４の内部に、収納された収納物７を挿入口側に向かって排出する力を当該収納物７に対して付勢するバネモジュール３（図５（ａ）を参照）（排出力付勢手段）を備える。このバネモジュール３は、略円筒形状のバネケース２と、当該バネケース２の筒内に収容された定荷重バネ１と、により構成されている。つまり、バネモジュール３は、図３に示すように、バネケース２に定荷重バネ１を組み込んだ状態のものをいう。ここで、バネモジュール３の構成について、図１乃至図３を参照して詳しく説明する。
【００１７】
図１は、上記定荷重バネ１の外観図である。定荷重バネ１は、所定の長さを有する薄板形状のバネ部材の一端側を一定の曲率で密着巻きしたものであり、他端側は開放端となっている。つまり、定荷重バネ１は、図１に示すように、巻回されて円筒形状に形成された状態の巻回部を有しており、開放された他端は、後述するようにケース本体４の内部にネジなどで固定され、固定部５を構成している。
【００１８】
図２は、上記定荷重バネ１の巻回部が収容されるバネケース２の外観図である。本実施形態おけるバネケース２は、樹脂にて形成されている。但し、バネケース２は、樹脂で形成されていることに限定されず、いかなる材料で形成されていてもよいが、収納物７の外形を形成する材料と同等かそれ以下の硬さを有する材料で形成されていると望ましい。
【００１９】
そして、バネケース２の形状は、上述した定荷重バネ１の円筒形状である巻回部の外周（外径の外周）を覆い、筒内に当該巻回部自体を収納可能なよう、当該巻回部の外径同等あるいはこれよりもわずかに大きい内径を有する略円筒形状に形成されている。また、円筒形状であるバネケース２は、円筒の高さ方向の長さが、上記定荷重バネ１の巻回部の高さ方向の長さよりも、長く形成されている。
【００２０】
そして、バネケース２は、円筒の高さ方向における一端が塞がって形成されており、他端は、筒内に定荷重バネ１を挿入可能なよう開口している。さらに、バネケース２の開口側の周囲には、筒内側に突出する突起部であるツバ２２が２箇所に設けられている。これらツバ２２は、バネケース２の筒内に収容された定荷重バネ１が、バネケース２の開口側から外部に移動しないよう係止するためのものである。なお、ツバ２２の数や形成位置は、図２に示す数や位置に限定されない。
【００２１】
また、バネケース２には、円筒の高さ方向である長手方向に沿って、所定の溝幅を有するスリット２１（引き出し開口部）が形成されている。このスリット２１は、長さが、定荷重バネ１を構成する板状のバネ部材の板幅よりも長く形成されており、溝幅が、定荷重バネ１の板厚よりも広く形成されている。これにより、スリット２１からは、バネケース２に収容された定荷重バネ１の開放端を、筒内から外部に引き出すことができる。
【００２２】
次に、図３を参照して、上述したバネケース２に、定荷重バネ１を組み込んだときの構成について説明する。まず、定荷重バネ１の開放端までを巻回した状態で、当該定荷重バネ１をバネケース２の開口端から筒内に挿入する。このとき、定荷重バネ１の巻回部の外径が通常状態よりも小さくなるよう、つまり、巻回部の外径がバネケース２の筒内側に突出する両ツバ２２の突出端の間の長さよりも小さくなるよう、強く巻回した状態で、当該定荷重バネ１をバネケース２の筒内に挿入する。挿入後は、定荷重バネ１を強く巻回した状態から緩めることで、バネケース２の巻回部の外径が、両ツバ２２の突出端の間の長さよりも大きくなり、定荷重バネ１がツバ２２よりも内部側に位置する。これにより、定荷重バネ１がバネケース２の開口側から外部に移動しないよう係止される。
【００２３】
また、バネケース２内に定荷重バネ１を挿入した後に、当該定荷重バネ１を回転させて、その開放端を所定の長さだけスリット２１から外部に引き出す。これにより、定荷重バネ１の巻回部がバネケース２に収容された状態で、当該バネケース２のスリット２１から、定荷重バネ１の開放端が引き出された状態となる。
【００２４】
次に、図４を参照して、バネモジュール３をケース本体４に装着した収納ケースの構成を説明する。この図に示すように、収納ケースは、バネモジュール３をケース本体４の内底面に装着する。このとき、ケース本体４の内底面の中央には、当該ケース本体４の長手方向に沿って、バネケース２の円筒高さ方向の長さと同等あるいはそれ以上の幅を有する溝が形成されている。そして、この溝内にバネモジュール３を配置して、バネケース２から引き出された定荷重バネ１の開放端を、ケース本体４の内底面にネジにより固定して固定部５を形成する。このとき、定荷重バネ１の巻回部を引き延ばしたときの長さ方向が、ケース本体４の長手方向に位置するよう、つまり、ケース本体４の挿入口に対して直交するよう、バネモジュール３を挿入口寄りに配置して固定する。
【００２５】
これにより、後述するように、バネモジュール３は、ケース本体４内に挿入された収納物７に押されることで、定荷重バネ１の開放端が固定されているため、当該定荷重バネ１の巻回部が引き延ばされると共に、当該巻回部つまりバネケース２がケース本体４の内底面に形成された溝に沿って挿入口から離れる方向に移動することとなる。また、定荷重バネ１の巻回部の引き延ばされた状態から巻回された状態への復元力により、当該巻回部つまりバネケース２がケース本体４の内底面に形成された溝に沿って挿入口に向かう方向に移動することとなる。
【００２６】
また、図４（ａ），（ｂ）に示すように、ケース本体４の挿入口付近には、当該ケース本体４に収納された収納物の収納状態を保持するストッパ６（係止手段）が装備されている。具体的に、ストッパ６は、バネ部材にて形成されており、先端部分が挿入口の一部を覆う設定の状態と、図５ａ（１）に示すように撓んで、挿入口の一部を覆うことを解除する設定の状態と、に可動する。これにより、ストッパ６は、挿入口の一部を覆う設定の状態では、ケース本体４に収納された収納物７の排出を係止し、挿入口の一部を覆うことを解除する設定の状態では、ケース本体４に収納された収納物７の排出を許容する。
【００２７】
［動作］
次に、図５ａ，図５ｂを参照して、上述した収納ケースの動作を説明する。まず、図５ａ（１）に示すように、使用者は、ストッパ６を矢印方向に動かすことで当該ストッパ６を撓ませ、ケース本体４の挿入口より内部方向（図の上方）に向かって収納物７を挿入する。すると、バネモジュール３のバネケース２に収納物７が接触した状態でバネケース２が収納物７によって押され、当該バネケース２がケース本体４の内底面に形成された溝に沿って、内部方向に移動する。
【００２８】
このとき、バネモジュール３を構成する定荷重バネ１は、開放端がケース本体４の内底面に固定されると共に、巻回部がバネケース２に収容されているため、当該巻回部が引き延ばされた状態となる。すると、引き延ばされた定荷重バネ１の復元力により、バネケース２が元の位置に戻る力が働き、挿入口方向に向かう付勢力が収納物７に印加される。ところが、収納物７がケース本体４内に収まると、図５ａ（２）に示すように、ストッパ６はその復元力により元の位置にもどり、当該ストッパ６にて、収納物７がケース本体４内に留まるよう係止される。
【００２９】
ここで、上述したバネケース２がケース本体４の内部方向に移動する際には、バネケース２が収納物７に接触した状態であるが、バネケース２は収納物７に対して相対的に回転することはない。これは、バネケース２に形成されたスリット２１から定荷重バネ１の開放端が引き出された状態で、当該開放端がケース本体４に固定されているためである。これにより、バネケース２と収納物７とは接触しているものの、相対的な可動が生じないため、収納物７の損傷を抑制でき、また、異音の発生も抑制することができる。
【００３０】
次に、２つ目の収納物７を挿入する際は、図５ａ（１）と同様に、図５ｂ（１）に示すように、ストッパ６を動かして挿入口を覆うことを解除した状態とし、収納物７の背面を押しながら当該収納物７をケース本体４内に挿入する。すると、上述した同様に、バネケース２が収納物７によって押され、さらにケース本体４の内部方向に移動し、これにより、定荷重バネ１はさらに引き延ばされた状態となる。このとき、定荷重バネ１の復元力により、バネケース２によって挿入口方向に向かう付勢力が収納物７に印加されるが、収納物７がケース本体４内に収まると、図５ｂ（２）に示すように、ストッパ６はその復元力により元の位置にもどり、２つ目の収納物７がケース本体４内に留まるよう係止される。
【００３１】
その後、収納物７をケース本体４内から取り出す際は、図５ｂ（１）の矢印に示すようにストッパ６を動かして挿入口を覆うことを解除した状態にする。すると、上述した定荷重バネ１の復元力によって、バネケース２が挿入口方向に移動し、収納物７に対して挿入口方向へ力が付勢され、収納物７が２つともケース本体４内から排出される。
【００３２】
このとき、バネケース２が収納物７に接触した状態で挿入口側に移動することで、排出力を収納物７に付勢するが、バネケース２は収納物７に対して相対的に回転することはない。これは、バネケース２に形成されたスリット２１から定荷重バネ１の開放端が引き出された状態で、当該開放端がケース本体４に固定されているためである。これにより、バネケース２と収納物７とは接触しているものの、相対的な可動が生じないため、収納物７の損傷を抑制でき、また、異音の発生も抑制することができる。
【００３３】
ここで、上記では、バネモジュール３を構成するバネ部材として、所定長さの薄板形状のバネ部材が巻回されて形成された定荷重バネ１を一例に挙げて説明したが、定荷重バネ１を用いることに限定されない。定荷重バネ１の代わりに、他の形状や構成のバネ部材を用いてもよい。また、定荷重バネ１の開放端をケース本体４に固定する方法は、ネジで固定することに限定されず、圧入はめこみ、熱溶着など、いかなる方法であってもよい。
【００３４】
また、バネモジュール３を構成するバネ部材の構成や形状に応じて、バネケース２の形状も上述したものに限定されない。例えば、バネケース２は、円筒形状であることに限定されず、筒形状であればよい。また、スリット２１の形状も上述したものに限定されず、定荷重バネ１に相当するバネ部材の開放端をバネケース２内部から引き出し可能な開口部であれば、いかなる形状の開口部であってもよい。
【００３５】
また、上記では、バネケース２の一端は塞がっており、開口している他端にはツバ２２が設けられている場合を説明したが、一端側にもツバ２２が設けられているなど、何らかの構成でバネケース２内に収容される定荷重バネ１が外部に移動することを係止できればよい。
【００３６】
＜実施形態２＞
次に、本発明の第２の実施形態を、図６乃至図８を参照して説明する。図６は、磁気テープライブラリの構成を示す図である。図７は、磁気テープライブラリを構成するマガジンの外観図を示し、図８は、マガジンのカバーを外した状態を示す図である。
【００３７】
本実施形態では、上述した収納ケースを、磁気テープライブラリに応用した場合を説明する。このとき、磁気テープといったデータを記憶再生可能な記録媒体を装備したカートリッジ１０２が、収納物となる。なお、磁気テープの他、光ディスク、光磁気ディスク、磁気ディスクなどといった記憶媒体を装備したカートリッジももちろん、収納物となりうる。
【００３８】
まず、図６を参照して、代表的な磁気テープライブラリの構成について説明する。磁気テープライブラリは、カートリッジ１０２に読み書きを行うための磁気テープドライブ１０１と、カートリッジ１０２を格納するためのセル１０３と、当該セルの集合体であるマガジン１０４と、を備える。また、磁気テープライブラリは、セル１０３内に格納されたカートリッジ１０２を磁気テープドライブ１０１へ搬送するためのアクセッサ１０５と、当該アクセッサ１０５の動作をコントロールするための制御基板１０６と、磁気テープドライブ１０１、アクセッサ１０５及び制御基板１０６に電力を供給するための電源１０７と、を備えて構成される。
【００３９】
図７は、磁気テープライブラリに搭載される上記マガジン１０４の外観図である。図８は、マガジン１０４の上面に配置されるカバーを外した状態を示す図である。マガジン１０４は、複数のセル１０３によって構成され、当該セル１０３内には複数巻のカートリッジ１０２を収納可能である。そして、図８に示す磁気テープライブラリのセル１０３に、実施形態１で説明した本発明である収納ケースを適用する。このように、本発明の収納ケースを使用したセル１０３を磁気テープライブラリに実装することによって、カートリッジ１０２の収納巻数の高密度化が実現できると共に、上述したように、定荷重バネ１によるカートリッジ１０２への損傷を防止でき、異音発生の防止も可能である。
【００４０】
＜付記＞
上記実施形態の一部又は全部は、以下の付記のようにも記載されうる。以下、本発明における収納ケース及び収納方法の構成の概略を説明する。但し、本発明は、以下の構成に限定されない。
【００４１】
（付記１）
挿入口から挿入された収納物を内部に収納するケース本体と、
前記ケース本体の内部に装備され、収納された前記収納物を挿入口側に排出する力を当該収納物に対して付勢する排出力付勢手段と、を備え、
前記排出力付勢手段は、所定の長さを有するバネ部材の一端側が巻回された状態の巻回部と、前記バネ部材の開放された他端側が前記ケース本体の内部に固定された固定部と、を有すると共に、前記巻回部の外周を覆い当該巻回部を筒内に収容する筒状部材を備え、当該筒状部材に、筒内から外部に向かって前記バネ部材の開放された他端を前記ケース本体の内部に固定するために引き出し可能な引き出し開口部を形成し、
前記筒状部材は前記ケース本体の内部に挿入された前記収納物と接触した状態で、前記筒状部材が前記収納物に押されることにより前記ケース本体の内部側に移動したときに前記筒状部材に収容された前記巻回部で巻回された状態の前記バネ部材が引き延ばされ、当該バネ部材の引き延ばされた状態から巻回された状態への復元力により前記筒状部材が前記ケース本体の挿入口側に移動したときに前記収納物を前記ケース本体の挿入口側に押すよう構成されている、
収納ケース。
【００４２】
（付記２）
付記１に記載の収納ケースであって、
前記筒状部材は、前記収納物に対して相対的に回転することなく、前記ケース本体の内部に挿入された前記収納物と接触した状態で前記ケース本体の内部で移動するよう構成されている、
収納ケース。
【００４３】
（付記３）
付記１又は２に記載の収納ケースであって、
前記排出力付勢手段を構成する前記バネ部材は、所定の長さを有する薄板形状にて形成されており、
前記排出力付勢手段に設けられた前記引き出し開口部は、前記バネ部材の板厚よりも広い溝幅を有するスリット形状に形成されている、
収納ケース。
【００４４】
（付記４）
付記１乃至３のいずれかに記載の収納ケースであって、
前記筒状部材は、前記バネ部材を筒内に挿抜可能なよう少なくとも一端側が開口して形成されており、当該開口側の周囲に、前記バネ部材が筒内から外部に移動することを係止するよう筒内側に突出する突起部を設けた、
収納ケース。
【００４５】
（付記５）
付記１乃至４のいずれかに記載の収納ケースであって、
前記筒状部材は、樹脂にて形成されている、
収納ケース。
【００４６】
（付記６）
付記１乃至５のいずれかに記載の収納ケースであって、
前記ケース本体の挿入口に、前記ケース本体の内部に収納された前記収納物の排出を係止する状態と、当該収納物の排出を許容する状態と、に設定可能なよう可動する係止手段を備えた、
収納ケース。
【００４７】
（付記７）
付記１乃至６のいずれかに記載の収納ケースであって、
前記ケース本体は、データを記憶再生可能な記憶媒体を装備したカートリッジを前記収納物として収納する、
収納ケース。
【００４８】
（付記８）
挿入口から挿入された収納物を内部に収納するケース本体と、
前記ケース本体の内部に装備され、収納された前記収納物を挿入口側に排出する力を当該収納物に対して付勢する排出力付勢手段と、を備えた収納ケースによる収納方法であって、
前記排出力付勢手段は、所定の長さを有するバネ部材の一端側が巻回された状態の巻回部と、前記バネ部材の開放された他端側が前記ケース本体の内部に固定された固定部と、を有すると共に、前記巻回部の外周を覆い当該巻回部を筒内に収容する筒状部材を備え、当該筒状部材に、筒内から外部に向かって前記バネ部材の開放された他端を前記ケース本体の内部に固定するために引き出し可能な引き出し開口部を形成して構成されており、
前記筒状部材は前記ケース本体の内部に挿入された前記収納物と接触した状態で、前記筒状部材が前記収納物に押されることにより前記ケース本体の内部側に移動したときに前記筒状部材に収容された前記巻回部で巻回された状態の前記バネ部材が引き延ばされ、当該バネ部材の引き延ばされた状態から巻回された状態への復元力により前記筒状部材が前記ケース本体の挿入口側に移動したときに前記収納物を前記ケース本体の挿入口側に押すよう可動する、
収納方法。
【００４９】
（付記９）
付記８に記載の収納方法であって、
前記筒状部材は、前記収納物に対して相対的に回転することなく、前記ケース本体の内部に挿入された前記収納物と接触した状態で前記ケース本体の内部で移動する、
収納方法。
【００５０】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００５１】
１  定荷重バネ
２  バネケース
２１  スリット
２２  ツバ
３  バネモジュール
４  ケース本体
５  固定部
６  ストッパ
７  収納物
１０１  磁気テープドライブ
１０２  カートリッジ
１０３  セル
１０４  マガジン
１０５  アクセッサ
１０６  制御基板
１０７  電源
【図１】
2014006947.tif 000003
【図２】
2014006947.tif 000004
【図３】
2014006947.tif 000005
【図４】
2014006947.tif 000006
【図５ａ】
2014006947.tif 000007
【図５ｂ】
2014006947.tif 000008
【図６】
2014006947.tif 000009
【図７】
2014006947.tif 000010
【図８】
2014006947.tif 000011